(57)【特許請求の範囲】
【請求項１】
断面円形とは異なる断面形状を有しねじり部材の基になる鋼管を加熱装置及び冷却装置に対して前記鋼管の長手方向に相対的に送りながら、前記加熱装置により前記鋼管を局所的に加熱すると共に前記鋼管の局所的に加熱された部分にねじり力を加えてねじり部を形成する熱間加工ステップと、
前記鋼管を前記加熱装置及び前記冷却装置に対して相対的に送りながら、前記冷却装置から噴射した冷却水により前記ねじり部を冷却して焼入れすると共に、前記ねじり部の単位長さ当たりのねじり角度に応じて前記鋼管の相対的な送り速度を調節する冷却ステップと、
を備えるねじり部材の製造方法。
【請求項２】
前記熱間加工ステップにおいて、前記鋼管にねじり力及び曲げ力を加えて前記ねじり部に曲げ変形を加え、
前記冷却ステップにおいて、前記ねじり部の単位長さ当たりのねじり角度及び曲率半径に応じて前記鋼管の相対的な送り速度を調節する、
請求項１に記載のねじり部材の製造方法。
【請求項３】
前記冷却ステップにおいて、前記鋼管に前記冷却水が衝突する箇所のうち前記鋼管の送り方向の最も下流側に位置する箇所における断面上で、前記鋼管の角部の位置が、前記鋼管を熱間加工しない場合の前記角部の位置に比べて、前記鋼管の送り方向視で前記角部に噴射される前記冷却水の噴射方向と直交する方向に規定量以上移動する場合には、前記鋼管の相対的な送り速度を、前記鋼管を熱間加工しない場合の相対的な送り速度に比べて低下させる、
請求項１又は請求項２に記載のねじり部材の製造方法。
【請求項４】
断面円形とは異なる断面形状を有しねじり部材の基になる鋼管を局所的に加熱する加熱装置と、
前記加熱装置によって前記鋼管の局所的に加熱された部分にねじり力を加えてねじり部を形成する外力付与装置と、
前記ねじり部に冷却水を噴射して前記ねじり部を冷却して焼入れする冷却装置と、
前記加熱装置及び前記冷却装置が作動している状態で、前記鋼管を前記加熱装置及び前記冷却装置に対して前記鋼管の長手方向に相対的に送る送り装置と、
前記鋼管が前記加熱装置及び前記冷却装置に対して相対的に送られながら、前記冷却装置から噴射した冷却水により前記ねじり部が冷却される際に、前記ねじり部の単位長さ当たりのねじり角度に応じて前記送り装置を制御して前記鋼管の相対的な送り速度を調節する制御装置と、
を備えるねじり部材の製造装置。
【請求項５】
前記制御装置には、前記ねじり部の単位長さ当たりのねじり角度と前記鋼管の相対的な送り速度との関係を表わすテーブルが記憶されており、
前記制御装置は、前記ねじり部の単位長さ当たりのねじり角度に基づいて前記テーブルから前記鋼管の相対的な送り速度を導出し、該導出した送り速度になるように前記送り装置を制御する、
請求項４に記載のねじり部材の製造装置。
【請求項６】
前記外力付与装置は、前記鋼管にねじり力及び曲げ力を加えて前記ねじり部に曲げ変形を加え、
前記制御装置は、前記ねじり部の単位長さ当たりのねじり角度及び曲率半径に応じて前記送り装置を制御して前記鋼管の相対的な送り速度を調節する、
請求項４に記載のねじり部材の製造装置。
【請求項７】
前記制御装置には、前記ねじり部の単位長さ当たりのねじり角度及び曲率半径と前記鋼管の相対的な送り速度との関係を表わすテーブルが記憶されており、
前記制御装置は、前記ねじり部の単位長さ当たりのねじり角度及び曲率半径に基づいて前記テーブルから前記鋼管の相対的な送り速度を導出し、該導出した送り速度になるように前記送り装置を制御する、
請求項６に記載のねじり部材の製造装置。
【請求項８】
前記制御装置は、前記鋼管に前記冷却水が衝突する箇所のうち前記鋼管の送り方向の最も下流側に位置する箇所における断面上で、前記鋼管の角部の位置が、前記鋼管を熱間加工しない場合の前記角部の位置に比べて、前記鋼管の送り方向視で前記角部に噴射される前記冷却水の噴射方向と直交する方向に規定量以上移動する場合には、前記鋼管の相対的な送り速度が、前記鋼管を熱間加工しない場合の送り速度に比べて低下するように、前記送り装置を制御する、
請求項４〜請求項７のいずれか一項に記載のねじり部材の製造装置。
【発明の詳細な説明】
【技術分野】
【０００１】
本発明は、鋼管を熱間加工して鋼管からねじり部材を製造するねじり部材の製造方法及び製造装置に関する。
【背景技術】
【０００２】
鋼管を任意の形状に曲げ、鋼管の任意の箇所を焼入れにより高強度化する３次元熱間曲げ焼入れ(３ＤＱ: 3Dimensional Hot Bending and Quench)技術を本発明者達は研究開発している。３ＤＱは自動車の構造材等の製造に好適に用いられる技術である。３ＤＱにより製造される構造材には軽量かつ高強度という特長がある。３ＤＱによる構造材等の製造には金型が不要であるという特長がある。
【０００３】
３ＤＱ装置では、加熱装置と冷却装置が近接して配置される。３ＤＱ装置を使用した鋼管の加工では、鋼管を加熱装置と冷却装置の順に通過させながら、加熱装置と冷却装置の間の鋼管に生じる鋼管の局所的に加熱された部分（高温部）に任意の方向の曲げモーメントを与える。３ＤＱによって、鋼管の任意の箇所が任意の形状に曲げられ、焼入れされた部材に加工できる。
【０００４】
鋼管に曲げモーメントを付与する装置は、特に限定されない。鋼管に曲げモーメントを付与する装置としては、特許文献１のように鋼管の送り方向における冷却装置の下流側に配置された可動ローラダイス、特許文献２のように鋼管の送り方向下流側において鋼管の端部に取り付けられたチャックとマニピュレータ、特許文献３のように鋼管の送り方向上流側において鋼管の端部に取り付けられたチャックとマニピュレータが例示される。
【０００５】
３ＤＱでは、曲げ加工のみならず、ねじり加工も可能である。特許文献１と特許文献３には３ＤＱでねじり加工が可能であることが開示されている。特許文献４には３ＤＱによるねじり部材が開示されている。
【先行技術文献】
【特許文献】
【０００６】
【特許文献１】国際公開第２００６／０９３００６号パンフレット
【特許文献２】国際公開第２０１０／０５０４６０号パンフレット
【特許文献３】国際公開第２０１１／００７８１０号パンフレット
【特許文献４】国際公開第２０１０／０８４８９８号パンフレット
【発明の概要】
【発明が解決しようとする課題】
【０００７】
本発明は、一つの例として、３ＤＱで熱間加工したねじり部材のねじり部に生じる機械特性の不均一を解消できるようにすることを目的とする。
【課題を解決するための手段】
【０００８】
本発明の一の態様に係るねじり部材の製造方法は、断面円形とは異なる断面形状を有しねじり部材の基になる鋼管を加熱装置及び冷却装置に対して前記鋼管の長手方向に相対的に送りながら、前記加熱装置により前記鋼管を局所的に加熱すると共に前記鋼管の局所的に加熱された部分にねじり力を加えてねじり部を形成する熱間加工ステップと、前記鋼管を前記加熱装置及び前記冷却装置に対して相対的に送りながら、前記冷却装置から噴射した冷却水により前記ねじり部を冷却して焼入れすると共に、前記ねじり部の単位長さ当たりのねじり角度に応じて前記鋼管の相対的な送り速度を調節する冷却ステップと、を備える。
【０００９】
本発明の他の態様に係るねじり部材の製造装置は、断面円形とは異なる断面形状を有しねじり部材の基になる鋼管を局所的に加熱する加熱装置と、前記加熱装置によって前記鋼管の局所的に加熱された部分にねじり力を加えてねじり部を形成する外力付与装置と、前記ねじり部に冷却水を噴射して前記ねじり部を冷却して焼入れする冷却装置と、前記加熱装置及び前記冷却装置が作動している状態で、前記鋼管を前記加熱装置及び前記冷却装置に対して前記鋼管の長手方向に相対的に送る送り装置と、前記鋼管が前記加熱装置及び前記冷却装置に対して相対的に送られながら、前記冷却装置から噴射した冷却水により前記ねじり部が冷却される際に、前記ねじり部の単位長さ当たりのねじり角度に応じて前記送り装置を制御して前記鋼管の相対的な送り速度を調節する制御装置と、を備える。
【発明の効果】
【００１０】
本発明の上記態様によれば、３ＤＱで熱間加工したねじり部材のねじり部に生じる機械特性の不均一を解消できる。
【図面の簡単な説明】
【００１１】
【図１】３ＤＱ装置の斜視図である。
【図２】加熱装置及び冷却装置の側断面図である。
【図３】冷却装置の正面図である。
【図４】ねじり部材の一例を示す斜視図である。
【図５】ねじり加工しない場合の冷却水が当たる各位置での鋼管の角部の温度測定結果を表わすグラフである。
【図６】ねじり加工しない場合の鋼管の三面図である。
【図７】ねじり加工した場合の冷却水が当たる各位置での鋼管の角部の温度測定結果を表わすグラフである。
【図８Ａ】ねじり加工条件１でねじり加工された鋼管の三面図である。
【図８Ｂ】ねじり加工条件２でねじり加工された鋼管の三面図である。
【図８Ｃ】ねじり加工条件３でねじり加工された鋼管の三面図である。
【図８Ｄ】ねじり加工条件４でねじり加工された鋼管の三面図である。
【図９】図３の角部Ｌの拡大図である。
【図１０】図３の角部Ｕの拡大図である。
【図１１】ねじり加工される鋼管の送り速度を変化させた場合の冷却水が当たる各位置での鋼管の角部の温度測定結果を表わすグラフである。
【図１２】制御装置に記憶されるテーブルの一例を表わす表である。
【図１３】ねじり加工及び曲げ加工により鋼管の角部の位置が移動する様子を示す模式図である。
【発明を実施するための形態】
【００１２】
はじめに、ねじり部材の製造装置の一実施形態である３ＤＱ装置について説明する。
【００１３】
図１には、３ＤＱ装置１０が斜視図にて示されている。この３ＤＱ装置１０は、誘導加熱コイル１２と、高周波電力発生装置１４と、外力付与装置１６と、冷却装置１８と、冷却水供給装置２０と、送り装置２２と、制御装置２４とを備えている。この３ＤＱ装置１０は、鋼管６２に対して熱間加工及び焼入れ加工を連続して行うものである。
【００１４】
３ＤＱ装置１０が加工対象とする鋼管６２は、断面円形とは異なる断面形状、例えば、正方形、長方形、台形などの多角形や楕円形等の断面形状を有する鋼管とされる。本実施形態では、一例として、鋼管６２が横長の断面長方形状に形成されている。この鋼管６２は、後述する送り装置２２により鋼管６２の長手方向に送られる。矢印Ｓは、鋼管６２の送り方向を示している。また、矢印Ｘ、矢印Ｙ、矢印Ｚは、３ＤＱ装置で加工される鋼管６２の横方向、縦方向、長手方向をそれぞれ示している。
【００１５】
誘導加熱コイル１２は、鋼管６２の断面形状に対応する矩形状に形成されており、鋼管６２の外周面から所定距離離れて鋼管６２を包囲して配置される。この誘導加熱コイル１２は、高周波電力発生装置１４から高周波電力が供給されることにより、誘導加熱コイル１２の内側において鋼管６２に局所的に誘導電流を発生させて、この鋼管６２を局所的に誘導加熱する。この誘導加熱コイル１２は、加熱装置の一例である。誘導加熱コイル１２の代わりに、鋼管６２を局所的に加熱できる加熱装置が用いられても良い。
【００１６】
高周波電力発生装置１４は、誘導加熱コイル１２に接続されており、誘導加熱コイル１２に高周波電力を供給する。この高周波電力発生装置１４は、例えば鋼管６２を短時間（２秒程度）で変態点以上の所望の温度に急速に加熱できるように、誘導加熱コイル１２への供給電力を調節可能である。
【００１７】
外力付与装置１６は、一例として、二組の一対の支持ローラ３２と、一対の可動ローラダイス３４と、駆動部３６とを備えている。二組の一対の支持ローラ３２は、誘導加熱コイル１２に対する鋼管６２の送り方向上流側に配置されており、各一対の支持ローラ３２は、鋼管６２の横方向の両側から鋼管６２を把持する。一対の可動ローラダイス３４は、後述する冷却装置１８に対する鋼管６２の送り方向下流側に配置されており、鋼管６２の横方向の両側から鋼管６２を把持する。
【００１８】
外力付与装置１６の駆動部３６は、一対の可動ローラダイス３４を鋼管６２の軸線周りに回転させるねじり機能と、一対の可動ローラダイス３４を鋼管６２の縦方向及び横方向に移動させる曲げ機能とを有する。
【００１９】
駆動部３６によって一対の可動ローラダイス３４が鋼管６２の軸線周りに回転させられることにより、支持ローラ３２と可動ローラダイス３４との間において鋼管６２にねじり力が加えられる。また、駆動部３６によって一対の可動ローラダイス３４が鋼管６２の縦方向及び横方向の少なくとも一方に移動させられることにより、支持ローラ３２と可動ローラダイス３４との間において鋼管６２に曲げ力が加えられる。
【００２０】
このような駆動部３６は、例えば、一対の可動ローラダイス３４を鋼管６２の縦方向及び横方向に移動させるＸ−Ｙステージと、このＸ−Ｙステージを作動させるモータと、一対の可動ローラダイス３４が鋼管６２の軸線周りに回転するようにＸ−Ｙステージをロールさせるロール機構と、このロール機構を作動させるモータ等を組み合わせた駆動装置により実現される。駆動部３６として、一対の可動ローラダイス３４を鋼管６２の軸線周りに回転可能であると共に、一対の可動ローラダイス３４を鋼管６２の縦方向及び横方向に移動可能なマニピュレータが用いられても良い。
【００２１】
冷却装置１８は、誘導加熱コイル１２に対する鋼管６２の送り方向下流側に配置されている。この冷却装置１８は、鋼管６２の断面形状に対応する矩形環状に形成されており、鋼管６２の外周面から所定距離離れて鋼管６２を包囲して配置される。
【００２２】
図２には、誘導加熱コイル１２及び冷却装置１８が側断面図にて示されており、図３には、冷却装置１８が正面図にて示されている。図２では、鋼管６２の局所的に加熱された部分（高温部）が色付けされて示されている。図３は、冷却装置１８を鋼管６２の送り方向下流側から上流側に向かって見た図である。
【００２３】
図２、図３に示されるように、冷却装置１８には、複数の噴射口４２が形成されている。複数の噴射口４２は、鋼管６２に対する縦方向の両側と、鋼管６２に対する横方向の両側にそれぞれ設けられている。図３では、複数の噴射口４２の一部が表示されており、複数の噴射口４２の残りの図示が省略されている。複数の噴射口４２は、複数の列を成して配置されている。以下、この複数の列を、冷却装置１８の内側から順に、Ａ列、Ｂ列、Ｃ列、Ｄ列、Ｅ列、Ｆ列、Ｇ列、Ｈ列とする。
【００２４】
この複数の噴射口４２が開口する面４４は、環状に形成された冷却装置１８の内側、かつ、鋼管６２の送り方向下流側を向いている。このため、複数の噴射口４２からは、鋼管６２の送り方向下流側へ向けて冷却水が噴射される。
【００２５】
図１に示される冷却水供給装置２０は、例えば、給水管に接続されたウォータポンプを有している。ウォータポンプが作動すると、冷却装置１８に冷却水が供給されると共に、冷却装置１８から冷却水が噴射される。
【００２６】
送り装置２２は、上述の誘導加熱コイル１２及び冷却装置１８に対する可動ローラダイス３４と反対側に配置されている。この送り装置２２は、本体部５２と、可動部５４と、駆動部５６とを有する。
【００２７】
可動部５４は、本体部５２よりも支持ローラ３２側に配置されており、鋼管６２を保持する。可動部５４は、本体部５２に対して離間する方向に移動可能とされている。この可動部５４には、例えば、鋼管６２を保持するチャック機構が用いられる。このような本体部５２、可動部５４、及び、駆動部５６を有する送り装置２２は、例えば、ボールネジ機構や、産業用ロボット等を用いて実現される。
【００２８】
送り装置２２の駆動部５６は、例えば、モータ装置、油圧装置、空圧装置等の動力源であり、可動部５４を本体部５２に対して離間する方向に移動させる。この送り装置２２では、可動部５４が鋼管６２を保持した状態で本体部５２に対して離間する方向に移動することにより、鋼管６２がその長手方向に送られる。
【００２９】
なお、図１に示される３ＤＱ装置１０では、鋼管６２を送る送り装置２２が用いられているが、誘導加熱コイル１２及び冷却装置１８を移動させる送り装置が用いられることにより、鋼管６２が誘導加熱コイル１２及び冷却装置１８に対して相対的に送られても良い。
【００３０】
制御装置２４は、上述の高周波電力発生装置１４と、冷却水供給装置２０と、外力付与装置１６の駆動部３６と、送り装置２２の駆動部５６とに電気的に接続されている。この制御装置２４は、演算装置や記憶装置等を有する電子回路を備えており、上述の高周波電力発生装置１４、冷却水供給装置２０、外力付与装置１６の駆動部３６、及び、送り装置２２の駆動部５６を制御する。
【００３１】
次に、上記３ＤＱ装置１０の基本動作を説明する。
【００３２】
＜送り開始ステップ＞
この３ＤＱ装置１０では、送り装置２２の駆動部５６が作動を開始すると、鋼管６２を保持する可動部５４が本体部５２に対して離間する方向に移動し、鋼管６２がその長手方向に送られる。鋼管６２は、後述する冷却ステップが終了するまで継続して送られる。
【００３３】
＜熱間加工ステップ＞
また、鋼管６２の送りが開始されると、高周波電力発生装置１４から誘導加熱コイル１２に高周波電力が供給される。そして、誘導加熱コイル１２の内側において鋼管６２に局所的に誘導電流が発生し、この鋼管６２が局所的に誘導加熱される。
【００３４】
また、製品仕様に応じた所定のタイミングにおいて、外力付与装置１６の駆動部３６によって一対の可動ローラダイス３４が鋼管６２の軸線周りに回転させられることにより、支持ローラ３２と可動ローラダイス３４との間において、鋼管６２の局所的に加熱された部分にねじり力が加えられる。そして、鋼管６２が熱間加工され、鋼管６２の局所的に加熱された部分にねじり部が形成される。
【００３５】
＜冷却ステップ＞
また、鋼管６２の送りが開始されると、冷却水供給装置２０が作動する。そして、冷却装置１８から鋼管６２に冷却水が噴射され、ねじり部を含む鋼管６２の全体が冷却されて焼入れされる。
【００３６】
この３ＤＱ装置１０では、以上の基本動作により、鋼管６２からねじり部を有するねじり部材が製造される。図４には、ねじり部６６を有するねじり部材６４の一例が斜視図にて示されている。矢印Ｔは、鋼管６２のねじり方向を示している。
【００３７】
なお、必要に応じて図１に示される駆動部５６により一対の可動ローラダイス３４が鋼管６２の縦方向及び横方向の少なくとも一方に移動させられることにより、支持ローラ３２と可動ローラダイス３４との間において、鋼管６２の局所的に加熱された部分に曲げ力が加えられても良い。そして、図４に示されるねじり部６６に曲げ変形が加えられても良い。図１では、参考として、鋼管６２が曲げ変形された状態で示されている。
【００３８】
また、上記基本動作では、鋼管６２が全長に亘って誘導加熱コイル１２及び冷却装置１８を通過する間、誘導加熱コイル１２及び冷却装置１８が作動する以外に、鋼管６２の一部分が誘導加熱コイル１２及び冷却装置１８を通過するタイミングにおいて誘導加熱コイル１２及び冷却装置１８が作動しても良い。
【００３９】
次に、上記３ＤＱ装置１０の検討結果を説明する。
【００４０】
本発明者は、上記３ＤＱ装置１０でねじり加工を実施し、実験と観察を繰り返した。その結果、鋼管６２を大きくねじり加工すると、鋼管６２の角部が赤熱した状態で冷却装置１８を通過することがあり、この場合には、加工後の鋼管６２のねじり部に機械特性の不均一が生じることがあることに発明者は気がついた。冷却装置１８を通過後、鋼管６２が赤熱するほど温度が高くない場合でも、焼入れ部が焼き戻されるか、又は、焼入れされない可能性がある。このため、ねじり加工において鋼管６２の角部の温度変化を注意して管理する必要があると発明者は考えた。
【００４１】
冷却水同士が衝突して鋼管６２への冷却水の衝突圧が損なわれることを避けるため、図２に示されるように、冷却装置１８の噴射口４２は、好ましくは、鋼管６２の外面と冷却水との成す角度θが直角に近く、かつ、冷却水同士が衝突しないように配置される。発明者は鋼管６２の角部に熱電対を取り付け、図２、図３のＡ〜Ｈ列の噴射口４２からの冷却水が当たる各位置での鋼管６２の角部の温度を測定した。
【００４２】
図５には、ねじり加工しない場合の冷却水が当たる各位置での鋼管６２の角部の温度測定結果、すなわち、ねじり加工しない場合の鋼管６２の角部の温度と送り量との関係を表わすグラフが示されている。図５の横軸のＡ〜Ｈは、図２、図３のＡ〜Ｈ列の噴射口４２からの冷却水が当たる各位置に相当する。図６には、参考として、ねじり加工しない場合の鋼管６２が三面図にて示されている。
【００４３】
図５に示されるように、ねじり加工しない場合、鋼管６２は、Ａ列の噴射口４２からの冷却水が当たる各位置において最も温度が高くなり、その後、Ｂ〜Ｈ列の噴射口４２からの冷却水により冷却されて温度が低下する。
【００４４】
一方、図７には、ねじり加工した場合の冷却水が当たる各位置での鋼管６２の角部の温度測定結果を表わすグラフが示されている。図７の横軸のＡ〜Ｈは、図５の横軸と同様に、図２、図３のＡ〜Ｈ列の噴射口４２からの冷却水が当たる各位置に相当する。図３には、鋼管６２のねじり部６６が想像線（二点鎖線）にて示されており、図７の温度測定結果は、図３の想像線にて示される鋼管６２のねじり部６６における下側の角部、すなわち、角部Ｌについての温度測定結果である。
【００４５】
また、図７には、ねじり加工条件１〜４毎の温度測定結果が示されている。図７のねじり加工条件１〜４は、単位長さ当たりのねじり角度が、ねじり加工条件１〜４の順に大きくなっている。図８Ａ〜図８Ｄには、参考として、上述のねじり加工条件１〜４でねじり加工された鋼管６２が三面図にて示されている。
【００４６】
３ＤＱによるねじり部６６で強度不良が発生するのは、図７のねじり加工条件２〜４のように冷却の途中で鋼管６２の温度が上昇した箇所である。鋼管６２の温度上昇が発生する状況を確認するため、発明者はねじり加工条件２〜４において３ＤＱ加工をねじり加工の途中で止めた後、温度上昇が発生し始めた噴射口４２の上、下、左、右に位置する噴射口４２からそれぞれ個別に冷却水を噴出させた。その結果、鋼管６２の温度上昇が発生し始める位置において、一部の噴射口４２からの冷却水が角部Ｌに当たっていないことが分かった。
【００４７】
ここで、図９には、図３の角部Ｌが拡大図にて示されている。図９に示されるように、角部Ｌには、下の右端からの冷却水ａは当たっているが、この下の右端からの冷却水ａはあまり冷却に寄与していない。角部Ｌの側面と下の右端からの冷却水ａのなす角が小さい（平行に近い）ため、冷却水が鋼管６２の表面にある水蒸気膜を突破できないからである。単位長さ当たりのねじり角度が大きくなるほど鋼管６２の送り方向上流側で温度上昇が発生するのは、単位長さ当たりのねじり角度が大きくなるほど鋼管６２の送り方向上流側で水蒸気膜を突破できる圧力で冷却水が当たらなくなり始めるからである。
【００４８】
図１０には、図３の角部Ｕが拡大図にて示されている。３ＤＱによるねじり加工の際、角部Ｕも上述の角部Ｌと同様に単位長さ当たりのねじり角度が大きくなると冷却に支障をきたす。これは、上の右端からの冷却水ｂと右の上端からの冷却水ｃが角部Ｕに当たる前にぶつかりあった結果、所定の圧力で鋼管６２に冷却水が当たらないため、冷却水が鋼管６２の表面にある水蒸気膜を突破できないから起こると考えられる。
【００４９】
なお、鋼管６２が断面円形の丸管の場合、丸管をねじり加工しても冷却水の当たり方は変化しないため、上記課題は発生しない。上記課題が発生するのは、ねじり加工により鋼管６２の断面の傾きが変化し、冷却水の当たり方が変化する異形管である。異形管とは鋼管６２の断面の中心から鋼管６２までの距離が周方向で変化する管、すなわち、例えば角管や楕円管のような断面円形とは異なる断面形状を有する管のことである。本実施形態では、３ＤＱ装置１０の加工対象を断面円形とは異なる断面形状を有する鋼管６２とする。
【００５０】
図１１には、ねじり加工される鋼管６２の送り速度を変化させた場合の冷却水が当たる各位置での鋼管６２の角部の温度測定結果を表わすグラフが示されている。図１１の横軸のＡ〜Ｈは、図５、図７の横軸と同様に、図２、図３のＡ〜Ｈ列の噴射口４２からの冷却水が当たる各位置に相当する。また、図１１の温度測定結果は、図３の角部Ｌについての温度測定結果である。また、図１１には、送り速度が低、中（基準）、高とした場合の温度測定結果が示されている。
【００５１】
この図１１から分かるように、冷却装置１８の入り口（Ａ列の噴射口４２の位置）において鋼管６２を所定の温度にし、鋼管６２の送り速度を低くすれば、より鋼管６２の送り方向上流側で鋼管６２の冷却を完了させることができる。
【００５２】
例えば、図７のねじり加工条件４において鋼管６２の送り速度を低くすれば、図１１に示されるように、Ｅ列の噴射口４２の冷却水が鋼管６２に当たる位置で鋼管６２の角部(角部Ｌ)に冷却水が当たらなくなる。したがって、図７のねじり加工条件４において、図１１の送り速度低で鋼管６２を送れば、Ｅ列の噴射口４２の冷却水が鋼管６２に当たる位置で冷却を完了でき、３ＤＱ加工後のねじり部６６に機械特性の不均一が発生することを抑制することができる。
【００５３】
なお、鋼管６２の全長に亘って送り速度を低にすると加工能率に支障をきたすため、鋼管６２の送り速度はねじり部６６の単位長さ当たりのねじり角度（ねじり加工条件）の変化に合わせて調節すれば良い。
【００５４】
ただし、鋼管６２の送り速度が低くなると鋼管６２の単位長さ当たりに投入される熱量が増加し、誘導加熱コイル１２と冷却装置１８の間において、鋼管６２の局所的に加熱された部分の温度が高くなり過ぎるため、鋼管６２の局所的に加熱された部分の温度が送り速度にかかわらず冷却装置１８の入口において所定の温度になるように、送り速度に応じて高周波電力発生装置１４を制御しても良い。
【００５５】
また、鋼管６２にねじり加工と同時に曲げ加工を実施する場合、曲げ変形が加えられたねじり部６６の曲率半径（曲げ加工の条件）によっても、ねじり加工された場合と同様に、ねじり部６６に機械特性の不均一が生じることが想定される。このため、曲げ変形が加えられたねじり部６６の曲率半径によっても送り速度の調節をすることが望ましい。
【００５６】
次に、上記検討結果により、３ＤＱ装置１０に追加される機能について説明する。
【００５７】
本実施形態の３ＤＱ装置１０では、制御装置２４に次の機能が追加されている。
＜機能１＞
鋼管６２の送り速度を調節する制御機能
＜機能２＞
鋼管６２の送り速度に応じた誘導加熱コイル１２の出力（加熱条件）の制御機能
＜機能３＞
ねじり部６６の単位長さ当たりのねじり角度（ねじり加工条件）に応じた鋼管６２の送り速度調節機能
【００５８】
鋼管６２の送り速度調節機能を実現するために、制御装置２４には、ねじり加工条件から送り速度を導出するテーブルが記憶されていることが望ましい。本実施形態では、ねじり加工条件に応じて鋼管６２の送り速度と加熱条件が制御される。具体的には、次の制御１、２である。
【００５９】
＜制御１＞
時々刻々と変化するねじり加工条件に合わせて送り速度と加熱条件を設定した加工条件が制御装置２４に入力される。そして、制御装置２４は、入力された加工条件に基づいて送り装置２２の駆動部５６、高周波電力発生装置１４、及び、外力付与装置１６の駆動部３６を制御する。
＜制御２＞
ねじり加工条件に合わせて送り速度上限値を設定したテーブルが制御装置２４に記憶される。制御装置２４は、そのテーブルからねじり加工条件の変化に応じて送り速度上限値を導出すると共に、この送り速度上限値に応じた加熱条件を上述の加工条件から導出する。そして、制御装置２４は、以上の導出結果に基づいて送り装置２２の駆動部５６及び高周波電力発生装置１４（誘導加熱コイル１２の出力）を制御する。
【００６０】
なお、鋼管６２にねじり加工と同時に曲げ加工を加えると鋼管６２への冷却水の当たる状況が変化する。したがって、鋼管６２にねじり加工と同時に曲げ加工を加える場合には、上述の機能３は、以下とされる。
【００６１】
＜機能３のその他の例＞
ねじり部６６の単位長さ当たりのねじり角度及び曲率半径（ねじり加工条件及び曲げ加工条件）に応じた鋼管６２の送り速度調節機能
【００６２】
また、鋼管６２にねじり加工と同時に曲げ加工を加える場合、制御装置２４には、ねじり加工条件及び曲げ加工条件から送り速度を導出するテーブルが記憶されていることが望ましい。鋼管６２にねじり加工と同時に曲げ加工を加える場合、上述の制御１、２は、以下とされる。
【００６３】
＜制御１のその他の例＞
時々刻々と変化するねじり加工条件及び曲げ加工条件に合わせて送り速度と加熱条件を設定した加工条件が制御装置２４に入力される。そして、制御装置２４は、入力された加工条件に基づいて送り装置２２の駆動部５６、高周波電力発生装置１４、及び、外力付与装置１６の駆動部３６を制御する。
＜制御２のその他の例＞
ねじり加工条件及び曲げ加工条件に合わせて送り速度上限値を設定したテーブルが制御装置２４に記憶される。制御装置２４は、そのテーブルからねじり加工条件及び曲げ加工条件の変化に応じて送り速度上限値を導出すると共に、この送り速度上限値に応じた加熱条件を上述の加工条件から導出する。そして、制御装置２４は、以上の導出結果に基づいて送り装置２２の駆動部５６及び高周波電力発生装置１４を制御する。
【００６４】
次に、上記機能が追加された３ＤＱ装置１０によるねじり部材の製造方法について説明する。
【００６５】
上記機能が追加された３ＤＱ装置１０によるねじり部材の製造方法では、上述の３ＤＱ装置１０の基本動作と同様に、送り開始ステップ、熱間加工ステップ、及び、冷却ステップが実行される。
【００６６】
ただし、冷却ステップでは、以下に説明するように、鋼管６２の送り速度が調節される。鋼管６２の送り速度は、一例として、ねじり部６６の単位長さ当たりのねじり角度及び曲率半径に応じて調節される。
【００６７】
制御装置２４は、ねじり加工の向き及び単位長さ当たりのねじり角度からなるねじり加工条件と、曲げ加工の向き及び曲率半径からなる曲げ加工条件とに基づいて、上記テーブルから鋼管６２の送り速度を導出する。
【００６８】
テーブルにおいて、ねじり加工条件は、ねじり方向とねじり角度を組み合わせて、「Ｒ−０」、「Ｒ−１」、「Ｒ−２」、「Ｒ−３」、「Ｌ−０」、「Ｌ−１」、「Ｌ−２」、「Ｌ−３」と分類される。ねじり方向について、「Ｒ」は、右回りであること、「Ｌ」は、左回りであることを表している。また、単位当たりのねじり角度について、ねじり加工しない場合には「０」で表され、ねじり加工する場合には、単位当たりのねじり角度が小さい順に「１」、「２」、「３」で表される。
【００６９】
また、テーブルにおいて、曲げ加工条件は、曲げ方向と曲率半径を組み合わせて、「０−０」、「０−１」、「０−２」、「０−３」、「１−０」、「１−１」、・・・「１１−０」、「１１−２」、「１１−３」と分類される。曲げ方向については、鋼管６２の送り方向下流側から上流側に向かって１２方向に区分けしている。すなわち、時計と同じように、上を「０」で表され、右を「３」、下を「６」、左を「９」と区分けしている。また、曲率半径について、曲げ加工しない場合には「０」、曲げ加工する場合には、曲率半径の大きい順に「１」、「２」、「３」で表される。
【００７０】
また、テーブルにおいて、鋼管６２の送り速度は、ねじり加工も曲げ加工もしない場合と同じ速度である「Ｈｉｇｈ」と、「Ｈｉｇｈ」よりも遅い「Ｍｉｄ」と、「Ｍｉｄ」よりも遅い「Ｌｏｗ」の３段階に分類される。
【００７１】
図１２には、制御装置２４に記憶されたテーブル２６の一例を表す表が示されている。この図１２に示されるテーブル２６は、右回りのねじり加工で１時の方向に曲げ加工する場合を示すものである。図１２に示されるテーブル２６は、一例であり、制御装置２４には、他のねじり加工の方向と曲げ加工の方向を含むテーブルが記憶されても良い。
【００７２】
なお、加工対象であるの鋼管６２の断面形状によっては、複数のテーブルを統合することも可能である。例えば、断面長方形状の鋼管６２を対象とする場合には、右回りのねじり加工で１時の方向に曲げ加工する場合のテーブル１に、以下に例示するテーブル２〜８を統合することが可能である。
【００７３】
テーブル２：右回りのねじり加工で５時の方向に曲げ加工する場合のテーブル
テーブル３：右回りのねじり加工で７時の方向に曲げ加工する場合のテーブル
テーブル４：右回りのねじり加工で１１時の方向に曲げ加工する場合のテーブル
テーブル５：左回りのねじり加工で１時の方向に曲げ加工する場合のテーブル
テーブル６：左回りのねじり加工で５時の方向に曲げ加工する場合のテーブル
テーブル７：左回りのねじり加工で７時の方向に曲げ加工する場合のテーブル
テーブル８：左回りのねじり加工で１１時の方向に曲げ加工する場合のテーブル
【００７４】
このように、制御装置２４には、ねじり部６６の単位長さ当たりのねじり角度及び曲率半径と鋼管６２の送り速度との関係を表わすテーブル２６が記憶される。そして、制御装置２４は、ねじり部６６の単位長さ当たりのねじり角度及び曲率半径に基づいてテーブル２６から鋼管６２の送り速度を導出し、該導出した送り速度になるように送り装置２２を制御する。つまり、制御装置２４は、ねじり部６６の単位長さ当たりのねじり角度が大きいほど、また、曲率半径が小さいほど、鋼管６２の送り速度を低下させる。
【００７５】
ここで、図１３には、ねじり加工及び曲げ加工により鋼管６２の角部の位置が移動する様子が模式図にて示されている。図１３において、細線の長方形は、ねじり加工も曲げ加工もしない場合の鋼管６２の断面の位置を示しており、二点鎖線の長方形は、ねじり加工をした場合の鋼管６２の断面の位置を示している。また、太線の長方形は、ねじり加工と曲げ加工をした場合の鋼管６２の断面の位置を示している。
【００７６】
鋼管６２の冷却むらの発生する鋼管６２の角部の位置の変化は、ねじり加工による位置の変化と曲げ加工による位置の変化の合計である。ねじり角度φのねじり加工により、鋼管６２の角部は、縦方向にｈ１移動する。ｈ１は、以下の式（１）で算出される。以下の式（１）において、Ｗは、鋼管６２の幅である。
ｈ１＝（Ｗ／２）・ｓｉｎφ・・・（１）
【００７７】
さらに曲げ加工により、鋼管６２の角部は移動する。図１３に示されるように、４時の方向にｌの大きさに曲げる場合、曲げ加工により、鋼管６２の角部は、縦方向にｈ２移動する。ｈ２は、以下の式（２）で算出される。ねじり加工と曲げ加工による縦方向の鋼管６２の角部の移動量ｈは、以下の式（３）で算出される。
ｈ２＝ｌｓｉｎφ・・・（２）
ｈ＝ｈ１＋ｈ２  ・・・（３）
【００７８】
図３に示されるように、本実施形態の３ＤＱ装置１０では、縦方向と横方向からの冷却水が互いに過度に干渉しないように冷却水は鋼管６２に噴射される。鋼管６２の角部が縦方向にどれだけ移動すると横方向からの冷却水が鋼管６２の角部に当たらなくなるかということについては、冷却装置１８の構造、例えば、各噴射口４２の配置位置や隣り合う噴射口４２間の距離等により異なるので、事前に把握しておくことが望ましい。
【００７９】
例えば、鋼管６２に冷却水が衝突する箇所のうち鋼管６２の送り方向の最も下流側に位置する箇所（図２のＨ列の噴射口４２からの冷却水が当たる箇所）における断面上で、鋼管６２の角部の位置が、鋼管６２を熱間加工しない場合の角部の位置に比べて、鋼管６２の送り方向視で角部に噴射される冷却水の噴射方向と直交する方向（この場合、縦方向）に規定量（例えば、１０ｍｍ）以上移動したときに、鋼管６２の角部に冷却水が当たらなくなり始める場合がある。
【００８０】
この場合には、鋼管６２の送り方向の最も下流側に位置する噴射口４２から鋼管６２に水が当たる位置でねじり部の冷却が完了するように送り速度を調節することが望ましい。つまり、鋼管６２の送り速度を、鋼管６２を熱間加工しない場合の送り速度に比べて低下させること、例えば、図１２に示されるテーブルで「Ｍｉｄ」か「Ｌｏｗ」に変更することが望ましい。鋼管６２の角部の横方向の移動と縦方向から噴射される冷却水との関係も同様である。
【００８１】
上述した方法では、実際に３ＤＱ加工しなくても事前に加工条件と送り速度のテーブルを作ることは可能である。しかし、量産の前には、さらに実機でテーブルを調整することが望ましい。その理由は、次の通りである。
【００８２】
＜理由１＞
設備上流側の冷却水と下流側の冷却水では鋼管６２への衝突角度が異なる。すなわち、冷却水が鋼管６２に衝突する際に、下流側の方が鋼管６２と噴射口４２から噴射される冷却水のなす角度が小さくなる。このため、上流側の冷却水と下流側の冷却水では冷却能力が異なり、上流側の方の冷却能力が高くなるので、減速を緩和できる可能性がある。
＜理由２＞
鋼管６２の角部に当たった冷却水がどのように跳ね返り、他の冷却水にどのように干渉するか分からない。
＜理由３＞
冷却装置１８は、鋼管６２の外形に合わせて配置されるが、鋼管６２の断面形状が湾曲形状や楕円形状である場合、角管のように縦横のずれと冷却能力の変化が容易には分かりにくい。
＜理由４＞
冷却水が中途半端に鋼管６２の角部に当たっている場合、十分に冷却されないことがある。
【００８３】
テーブルの調整は、実際に３ＤＱ加工を行い、鋼管６２を分析して冷却不足になっていないか確認して行われる。具体的には、加工後の鋼管６２の硬度（例えばビッカース高度Ｈｖ４２０以上）、表面残留応力（例えばＸ線回折法による測定で引張応力８０ＭＰａ以下）が、ばらつきを考慮しても所定の範囲に収まっていれば十分冷却されたと判定する。
【００８４】
本実施形態のように、可動ローラダイス３４を用いた３ＤＱ装置１０の場合、制御装置２４は、可動ローラダイス３４の動きに基づいてテーブルから送り速度を出力すれば良い。
【００８５】
しかしながら、鋼管６２の端部に取り付けられたチャックを介してマニピュレータで曲げモーメントを付与する場合、鋼管６２の端部の動きから加工条件を導出するのは難しい。この場合、目標とする製品の形状に基づいて鋼管６２の長手方向に沿ったねじり量と曲げ量からねじり加工条件と曲げ加工条件を導出しても良い。この方法は、可動ローラダイス３４を用いる場合にも適用可能である。
【００８６】
なお、上記３ＤＱ装置１０において、曲げ加工が行われない場合、上述のテーブル２６から曲率半径と鋼管６２の送り速度との関係が削除されても良い。そして、制御装置２４は、ねじり部６６の単位長さ当たりのねじり角度に基づいてテーブル２６から鋼管６２の送り速度を導出し、該導出した送り速度になるように送り装置２２を制御しても良い。つまり、制御装置２４は、ねじり部６６の単位長さ当たりのねじり角度が大きいほど鋼管６２の送り速度を低下させても良い。
【００８７】
また、鋼管６２を誘導加熱コイル１２及び冷却装置１８に対して相対的に送るために、誘導加熱コイル１２及び冷却装置１８を移動させる送り装置が用いられる場合、テーブル２６には、鋼管６２の相対的な送り速度として、誘導加熱コイル１２及び冷却装置１８の移動速度が含まれていても良い。
【００８８】
次に、本実施形態の作用及び効果について説明する。
【００８９】
以上詳述したように、本実施形態によれば、鋼管６２が誘導加熱コイル１２及び冷却装置１８に対して相対的に送られながら、冷却装置１８から噴射した冷却水によりねじり部６６が冷却される際に、ねじり部６６の単位長さ当たりのねじり角度に応じて鋼管６２の相対的な送り速度が調節される。これにより、鋼管６２の角部の冷却むらを抑制することができるので、３ＤＱで熱間加工したねじり部材６４のねじり部６６に生じる機械特性の不均一を解消することができる。
【００９０】
また、鋼管６２にねじり力及び曲げ力を加えてねじり部６６に曲げ変形が加えられる場合には、ねじり部６６の単位長さ当たりのねじり角度及び曲率半径に応じて鋼管６２の相対的な送り速度が調節される。これにより、曲げ変形を考慮した適切な送り速度で鋼管６２を相対的に送ることができるので、ねじり部６６に曲げ変形が加えられる場合でも、曲げ変形に応じて鋼管６２の角部の冷却むらを抑制することができる。
【００９１】
また、例えば、鋼管６２に冷却水が衝突する箇所のうち鋼管６２の送り方向の最も下流側に位置する箇所（図２のＨ列の噴射口４２からの冷却水が当たる箇所）における断面上で、鋼管６２の角部の位置が、鋼管６２を熱間加工しない場合の角部の位置に比べて、鋼管６２の送り方向視で角部に噴射される冷却水の噴射方向と直交する方向（この場合、縦方向）に規定量（例えば、１０ｍｍ）以上移動する場合には、鋼管６２の送り速度が、鋼管６２を熱間加工しない場合の送り速度に比べて低下させられる。鋼管６２の角部の横方向の移動と縦方向から噴射される冷却水の場合も同様である。これにより、鋼管６２の角部が十分に冷却される前に冷却水による冷却が終了してしまうことを回避できるので、鋼管６２の角部の冷却むらをより一層効果的に抑制することができる。
【００９２】
また、制御装置２４には、ねじり部６６の単位長さ当たりのねじり角度と鋼管６２の相対的な送り速度との関係を表わすテーブル２６が記憶される。そして、制御装置２４は、ねじり部６６の単位長さ当たりのねじり角度に基づいてテーブル２６から鋼管６２の相対的な送り速度を導出し、該導出した送り速度になるように送り装置２２を制御する。したがって、テーブル２６に基づいて鋼管６２の相対的な送り速度が調節されるので、鋼管６２の角部の冷却むらを安定して抑制することができる。
【００９３】
また、鋼管６２にねじり力及び曲げ力を加えてねじり部６６に曲げ変形が加えられる場合、テーブル２６には、ねじり部６６の単位長さ当たりのねじり角度及び曲率半径と鋼管６２の相対的な送り速度との関係が含まれる。したがって、ねじり部６６に曲げ変形が加えられる場合でも、曲げ変形に応じて鋼管６２の角部の冷却むらを安定して抑制することができる。
【００９４】
以上、本発明の一実施形態について説明したが、本発明は、上記に限定されるものでなく、上記以外にも、その主旨を逸脱しない範囲内において種々変形して実施可能であることは勿論である。
【符号の説明】
【００９５】
１０  ３ＤＱ装置（ねじり部材の製造装置の一例）
１２  誘導加熱コイル（加熱装置の一例）
１４  高周波電力発生装置
１６  外力付与装置
１８  冷却装置
２０  冷却水供給装置
２２  送り装置
２４  制御装置
２６  テーブル
４２  噴射口
６２  鋼管
６４  ねじり部材
６６  ねじり部
【図１】
0006569534.tif 000002
【図２】
0006569534.tif 000003
【図３】
0006569534.tif 000004
【図４】
0006569534.tif 000005
【図５】
0006569534.tif 000006
【図６】
0006569534.tif 000007
【図７】
0006569534.tif 000008
【図８Ａ】
0006569534.tif 000009
【図８Ｂ】
0006569534.tif 000010
【図８Ｃ】
0006569534.tif 000011
【図８Ｄ】
0006569534.tif 000012
【図９】
0006569534.tif 000013
【図１０】
0006569534.tif 000014
【図１１】
0006569534.tif 000015
【図１２】
0006569534.tif 000016
【図１３】
0006569534.tif 000017